(57)【要約】【課題】扉のロック機構は、全ての閂をリンクが連結しているため、攻撃され、一ヶ所外されると全て外れてしまうという問題があった。【解決手段】本発明は、携帯電動工具等による扉への攻撃に対してロックシャフトに緩衝用バネを入れることで独立して閂のロック解除を行う。鍵の回転による扉の開閉には一度で全ての閂がリンク機構に連結し扉が開閉するのに対し、外部からの該携帯電動工具等による扉への攻撃には緩衝用バネを使用することにより閂を攻撃されても緩衝用バネによりリンク機構に連結されず、閂をそれぞれ独立させ全ての閂を攻撃しロック解除なければ扉が開閉しないため時間稼ぎができ防犯性の高い機構とした。【選択図】 図４
2009035911.tif 000002
【特許請求の範囲】
【請求項１】
筐体本体部と、筐体扉部と、該筐体本体部に嵌合し該扉を閉状態にロックする複数の閂と、該筐体扉部についている錠と、該錠を回転させることで該閂を作動させるリンク機構からなる電子機器装置において、該閂と該リンク機構との間に常に該閂を開閉方向にスライド可能に構成した連結板を設け、該リンク機構がロック開方向時に作動する場合には該連結板が該閂を引っ張り、該リンク機構がロック閉状態にある時には該閂が閉方向に作用する様に構成した事を特徴とした筐体扉部のロック機構。
【請求項２】
請求項１記載のロック機構において、連結板閂定位置検知センサを設け、該リンク機構がロック閉状態にある時に、該閂定位置検知センサが、該閂が半がかり状態の時に定位置に無いことを検知することを特徴とした筐体扉部のロック機構。
【請求項３】
請求項１記載のロック機構において、該リンク機構に一ヶ所以上直結した該閂を設け、該筐体扉部が完全に閉まりきらず該閂が筐体に嵌合しない位置にある場合、該リンク機構に直結していない該閂が半がかり状態になっても直結した閂が完全に嵌合できないことにより該筐体扉部が完全に閉まることを防止できることを特徴とした筐体扉部のロック機構。
【発明の詳細な説明】
【技術分野】
【０００１】
本発明は、電子機器装置の扉において、扉に対するこじ開け攻撃に対し閂がリンク機構に連動しないことにより、全ての閂のロック解除を必要とする防犯性を高めた筐体のロック機構に関する。
【背景技術】
【０００２】
防犯性を必要とする電子機器装置の扉は、扉のロック構造の閂の本数を多くしたり、閂の径を太くしたりすることにより一見強固な防犯性を有しているように見えるが、実際はリンクにより複数のロックシャフトは連動しており、一つのロックシャフトを攻撃すれば、扉は開けることが可能であった。そのような扉を攻撃する盗難に対し長時間の防犯性を有する電子機器装置の筐体のロック機構が必要であった。
【０００３】
【特許文献１】特開平和5-59853号公報
【発明の開示】
【発明が解決しようとする課題】
【０００４】
前記従来例によれば、電子機器装置の筐体の扉ロック機構は一見、防犯性が高いようにみえるが、閂による扉ロック機構は携帯電動工具等による扉への攻撃で全ての閂とリンク機構が連結しているため、複数ある閂のうち一ヶ所の閂を外部からロック解除方向に力を加え、ロック解除されると、連結されている全ての閂がロック解除され、他の閂を攻撃されることなく短時間で扉を開けることができてしまうという課題が生じる。
【０００５】
本発明の目的は、錠の回転による扉の開閉の機構を保持しつつ、外部からの携帯電動工具等による扉への攻撃に対し扉ロック機構を独立させ、全ての閂のロック解除を行う時間を稼ぎ防犯性の高い電子機器装置を提供することにある。
【課題を解決するための手段】
【０００６】
筐体と、開閉扉と、錠と、筐体に嵌合し扉を閉状態にロックする閂と、ロック開閉のため錠と閂を連動させるリンク機構からなる電子機器装置において、閂とリンク機構との間に常に閂を開閉方向にスライド可能に構成した連結板を設け、携帯電動工具等による扉への攻撃に対して独立して閂のロック解除を行い、扉が開くためには全ての閂のロック解除を必要とするように構成したことにある。
【０００７】
上述のような構成としたので鍵の回転による扉の開閉には一度で全ての閂がリンク機構に連動し扉が開閉するのに対し、外部からの携帯電動工具等による扉への攻撃には常に閂を閉方向に作用するように構成した事により、全ての閂を攻撃しロック解除なければ扉が開閉しないため時間稼ぎができ防犯性の高い機構とした。
【発明の効果】
【０００８】
本発明によれば外部からの携帯電動工具等による扉への攻撃に対し閂を独立させることにより全ての閂のロック解除を行う時間を稼ぐことができる防犯性の高い電子機器装置を提供することができる。
【発明を実施するための最良の形態】
【０００９】
以下、図１から図８を参照して、本開発の一実施形態を説明する。本実施形態は、金庫や金融機関システムに採用される例えばATM（Automatated Teller Machine）のような電子機器装置に関する。
【００１０】
先ず図１は、本実施形態に係る筐体本体部１と筐体扉部２をあわせた電子機器装置の外観図であり、図２は図１の筐体扉部２を開けた外観図である。図３は筐体扉部２についているロック機構３の外観図であり、図４は図３のロック機構３の詳細図であり、外観図を用いて、概略構造を説明する。
【００１１】
電子機器装置は、金融機関等に設置され、現金の保管や入金、出金等の取引を行う電子機器装置であり、従来電子機器装置は、筐体本体部１と筐体扉部２からなり、筐体扉部２はロック機構３を設け、筐体本体部１には嵌合穴１６が設けられ、ロック機構３のロックシャフト７がその嵌合穴１６に入り込むことにより筐体扉部２を閉状態でロックする装置である。筐体扉部２は、錠１５を解除方向に回転させることによりロック機構３を作動させ、筐体扉部２を開けることができるが、錠１５を回転させないで、筐体扉部２を開けようとした場合には、ロックシャフト７が嵌合穴１６に入り込んでいることにより、筐体扉部２を開方向に引いても開けることはできない。筐体扉部２を開けようとする場合には、錠１５を回転させ、ロック機構３が作動し、ロックシャフト７が本体側の嵌合穴１６から外れ、筐体扉部２を開けることができる。
【００１２】
扉自体には、錠１５があり、錠１５には、鍵金具１８が取付けられ、錠１５の回転と共に回転する。
【００１３】
鍵金具１８はリンク１１に連結され、リンク１１のもう一端はレバー５と連結されている。
【００１４】
リンクの伝達順序としては、錠１５を上方向に回転→鍵金具１８が回転→リンク１１が上下する→レバー５が回転→ロックシャフト７が嵌合穴１６から外れる、となり、ロックシャフト７が外れた状態が図５である。
【００１５】
従来のようなロック機構３に携帯電動工具等による扉への攻撃が加えられた場合、ロックシャフト７が矢印方向へ進み連結しているレバー５が回転し、リンク１１が上下することで他のロックシャフト７が嵌合穴１６から外れ扉が開く。
【００１６】
図４ではロックシャフト７とレバー５が直接連結している従来のものと違い、レバー５とロックシャフト７の間に連結板６をレバー５側のピンとロックシャフト７側のピン１２で固定している構造になっている。
【００１７】
図５は錠１５を回転させ、リンク１１と連結している全てのロックシャフト７を嵌合穴１６から外し扉開時にした状態図である。連結板６がロックシャフト７を引く形でロックシャフト７を嵌合穴１６から外す為、図５のロックシャフト７とレバー８が直接連結しているロック機構３同様の機構となる。
【００１８】
図６は矢印方向から携帯電動工具等による攻撃を筐体扉部２が受けている図であり、ロックシャフト７に組み付けたピン１２を連結板６の連結板ガイド穴１４に通して水平移動できるようにし、ロックシャフト７に取付けたバネ８が矢印方向に引っ張られることにより、解除方向に進むロックシャフト７を止める。矢印方向からの力でロックシャフト７が水平方向に進むが連結板６によりリンク１１に力が伝わらず、他のロックシャフト７に影響がない独立した構成になっている。
【００１９】
図７はリンク１１の最下部にロックシャフト７を付けた図である。それぞれのロックシャフト７にロックが半がかり状態になることを半ロック状態といい、その半ロック状態を防ぐためにリンク１１の最下部にロックシャフト７を直接下方向につけ、筐体本体部１の下部に本体部ロックシャフト受け板９を作り、その嵌合穴１６にロックシャフト７が入り込めないことで筐体扉部２が半ロック状態のまま完全に閉じることを防ぐ。
【００２０】
図８はロック機構３に閂定位置検知センサを付けた図である。携帯電動工具等による扉への攻撃に対して一つのロックシャフト７がロック解除された場合、他のロックシャフト７は嵌合穴１６に入りこんでおり、外部からはロック解除されているか分からないため、そこで閂定位置検知センサ１７をロックシャフト近くに配置し、ピン１２に当てることにより半ロック状態になった場合、閂定位置検知センサが作動し、半ロック状態のまま筐体扉部２が閉じることを検知する。
【００２１】
図１から図８では錠１５を回転させ、リンク機構３が連動し筐体扉部２を開けたが、ハンドルを回転させることでリンク機構３を連動させても可とする。
【図面の簡単な説明】
【００２２】
【図１】電子機器装置の外観図。
【図２】扉開時の電子機器装置の外観図。
【図３】扉開時のロック機構の状態図。
【図４】請求項１の扉閉時のロック機構の状態図。
【図５】請求項１の扉開時のロック機構の状態図。
【図６】請求項１の扉閉時の半ロック状態図。
【図７】請求項１の閂を一ヶ所下向きに付けたロック機構の状態図。
【図８】請求項１のロック検知センサを付けたロック機構の状態図。
【符号の説明】
【００２３】
１…筐体本体部、２…筐体扉部、３…ロック機構、４…閂ロック部構造、５…レバー、６…連結板、７…ロックシャフト、８…バネ、９…本体部ロックシャフト受け板、１０…扉部ロックシャフト案内板、１１…リンク、１２…ピン、１３…レバー支点、１４…連結板ガイド穴、１５…錠、１６…嵌合穴、１７…閂定位置検知センサ、１８…錠金具。
【図１】
2009035911.tif 000003
【図２】
2009035911.tif 000004
【図３】
2009035911.tif 000005
【図４】
2009035911.tif 000006
【図５】
2009035911.tif 000007
【図６】
2009035911.tif 000008
【図７】
2009035911.tif 000009
【図８】
2009035911.tif 000010